(57)【要約】【課題】一つの無線部を備える無線通信端末で、同時に二つの通信システムによる通信をする。【解決手段】第１の通信方式及び第２の通信方式を切り替えて共通のアンテナで無線通信を行う無線部と、前記無線部による無線通信を制御する制御部と、を有する無線通信端末装置であって、前記制御部は、前記第１の通信方式の通信中に、前記第２の通信方式における着信を監視し、当該着信が検出されたら、前記第１の通信方式の通信が切断されない第１所定時間だけ、前記第１の通信方法から前記第２の通信方式に切り替え、前記第１所定時間の経過後に、前記第２の通信方式から前記第１の通信方式に切り替えて、前記第１の通信方式の通信を再開するように制御する。【選択図】  図１
2006080839.tif 000002
【特許請求の範囲】
【請求項１】
第１の通信方式及び第２の通信方式を切り替えて共通のアンテナにより無線通信を行う無線部と、
前記無線部による無線通信を制御する制御部と、を有する無線通信端末装置であって、
前記制御部は、
前記第１の通信方式の通信中に、前記第２の通信方式における着信を監視し、
当該着信が検出されたら、前記第１の通信方式の通信が切断されない第１所定時間だけ、前記第１の通信方法から前記第２の通信方式に切り替え、
前記第１所定時間の経過後に、前記第２の通信方式から前記第１の通信方式に切り替えて、前記第１の通信方式の通信を再開するように制御することを特徴とする無線通信端末装置。
【請求項２】
前記制御部は、前記着信の検出後に前記第２の通信方式の通信を再開するとともに、前記第１所定時間の経過後に、前記第２の通信方式の通信を中断し、前記第２の通信方式の通信が切断されない第２所定時間だけ前記第１の通信方式で通信を行い、その後、前記第１の通信方式から前記第２の通信方式に切り替えて、前記第２の通信方式の通信を再開するように制御することを特徴とする請求項１に記載の無線通信端末装置。
【請求項３】
前記第１所定時間は、前記第１の通信方式において用いられる通信用プログラムによって通信の切断が判定されない時間であり、
前記第２所定時間は、前記第２の通信方式において用いられる通信用プログラムによって通信の切断が判定されない時間であることを特徴とする請求項２に記載の無線通信端末装置。
【請求項４】
第１の通信方式及び第２の通信方式を切り替えて共通のアンテナにより無線通信を行う無線部と、前記無線部による無線通信を制御する制御部と、を有する無線通信端末装置に以下の手順を実行させるプログラムであって、
前記第１の通信方式の通信中に、前記第２の通信方式における着信を監視し、当該着信が検出されたら、前記第１の通信方式の通信が切断されない第１所定時間だけ前記第１の通信方式から前記第２の通信方式に切り替え、
前記第１所定時間の経過後に、前記第２の通信方式から前記第１の通信方式に切り替えて前記第２の通信方式の通信を再開する手順を含むことを特徴とするプログラム。
【請求項５】
さらに、前記着信の検出後に前記第２の通信方式の通信を開始するとともに、前記第１所定時間の経過後に前記第２の通信方式の通信を中断し、前記第２の通信方式の通信が切断されない第２所定時間だけ前記第１の通信方式で通信を行い、その後、前記第１の通信方式から前記第２の通信方式に切り替えて前記第２の通信方式の通信を再開する手順を含むことを特徴とする請求項４に記載のプログラム。
【発明の詳細な説明】
【技術分野】
【０００１】
本発明は、二つの通信方式を切り替えて共通のアンテナにより通信を行う無線通信端末に関し、特に、通信方式切替技術に関する。
【背景技術】
【０００２】
二つの通信システムを切り替えて、基地局と通信を行う方式（デュアル方式）の無線通信端末が知られている。このようなデュアル方式の無線通信端末として、ＣＤＭＡ２０００  １ｘ通信システムとＣＤＭＡ２０００  １ｘ  ＥＶＤＯ通信システムとの切替手段を具備する携帯端末が提案されている（例えば、特許文献１参照。）。
【０００３】
また、デュアル方式の無線通信端末では、一つのアンテナを二つの通信システムで共用し、必要に応じてアンテナを使用する通信システムを切り替えて、双方の通信方式で通信するもの（ハイブリッド方式）が提案されている。
【特許文献１】特開２００３−２９８７６２号公報
【発明の開示】
【発明が解決しようとする課題】
【０００４】
前述したハイブリッド端末は、ある一方のシステムでデータ通信を行っている間、他方のシステムの着信を監視する。例えば、図６に示すように、システムＡ（ＣＤＭＡ２０００  １ｘ  ＥＶＤＯ）で通信中に、所定時間間隔でシステムＢ（ＣＤＭＡ２０００  １ｘ）に切り替えて、システムＢにおける着信を監視することによって、システムＡで通信中であっても、システムＢにおいて待受状態としている。
【０００５】
そして、図７に示すように、ハイブリッド端末で、システムＡで通信中に、システムＢで着信があった場合、この着信に応答するためシステムＡからシステムＢに切り替えて、システムＢで通信状態となる。よって、システムＢがアンテナを占有するので、システムＡでは通信が途切れる。このシステムＡにおける通信中断時間が長くなった場合、システムＡでの通信に使用していたアプリケーションがタイムアウトを生じ、通信中のデータや履歴情報等を破棄してしまう恐れがある。このタイムアウトにより、アプリケーション層よりも下位のデータリンク層や物理層でコネクションが維持されていても、ユーザはアプリケーションを起動しなおして再度通信を開始しなければならなくなる。また、物理層では、基地局側でも無線通信網のトラフィックの適正化のために予め所定のタイムアウト値が設定されており、物理層でのタイムアウトを生じると、システムＡと基地局間のコネクションが絶たれてしまう。
【課題を解決するための手段】
【０００６】
第１の発明は、第１の通信方式及び第２の通信方式を切り替えて共通のアンテナで無線通信を行う無線部と、前記無線部による無線通信を制御する制御部と、を有する無線通信端末装置であって、前記制御部は、前記第１の通信方式の通信中に、前記第２の通信方式における着信を監視し、当該着信が検出されたら、前記第１の通信方式の通信が切断されない第１所定時間だけ、前記第１の通信方法から前記第２の通信方式に切り替え、前記第１所定時間の経過後に、前記第２の通信方式から前記第１の通信方式に切り替えて、前記第１の通信方式の通信を再開するように制御する。
【０００７】
第２の発明は、第１の発明において、前記制御部は、前記着信の検出後に前記第２の通信方式の通信を再開するとともに、前記第１所定時間の経過後に、前記第２の通信方式の通信を中断し、前記第２の通信方式の通信が切断されない第２所定時間だけ前記第１の通信方式で通信を行い、その後、前記第１の通信方式から前記第２の通信方式に切り替えて、前記第２の通信方式の通信を再開するように制御する。
【０００８】
第３の発明は、第２の発明において、前記第１所定時間は、前記第１の通信方式において用いられる通信用プログラムによって通信の切断が判定されない時間であり、前記第２所定時間は、前記第２の通信方式において用いられる通信用プログラムによって通信の切断が判定されない時間である。
【０００９】
第４の発明は、第１の通信方式及び第２の通信方式を切り替えて共通のアンテナにより無線通信を行う無線部と、前記無線部による無線通信を制御する制御部と、を有する無線通信端末装置に以下の手順を実行させるプログラムであって、前記第１の通信方式の通信中に、前記第２の通信方式における着信を監視し、当該着信が検出されたら、前記第１の通信方式の通信が切断されない第１所定時間だけ前記第１の通信方式から前記第２の通信方式に切り替え、前記第１所定時間の経過後に、前記第２の通信方式から前記第１の通信方式に切り替えて前記第２の通信方式の通信を再開する手順を含む。
【００１０】
第５の発明は、第４の発明において、さらに、前記着信の検出後に前記第２の通信方式の通信を開始するとともに、前記第１所定時間の経過後に前記第２の通信方式の通信を中断し、前記第２の通信方式の通信が切断されない第２所定時間だけ前記第１の通信方式で通信を行い、その後、前記第１の通信方式から前記第２の通信方式に切り替えて前記第２の通信方式の通信を再開する手順を含む。
【発明の効果】
【００１１】
本発明では、第１の通信方式及び第２の通信方式を切り替えて共通のアンテナで無線通信を行う無線部と、前記無線部による無線通信を制御する制御部と、を有する無線通信端末装置であって、前記制御部は、前記第１の通信方式の通信中に、前記第２の通信方式における着信を監視し、当該着信が検出されたら、前記第１の通信方式の通信が切断されない第１所定時間だけ、前記第１の通信方法から前記第２の通信方式に切り替え、前記第１所定時間の経過後に、前記第２の通信方式から前記第１の通信方式に切り替えて、前記第１の通信方式の通信を再開するように制御するので、一つのアンテナを備える無線通信端末であっても、同時に二つの通信システムにより通信をすることができる。
【００１２】
また、本発明では、前記制御部は、前記着信の検出後に前記第２の通信方式の通信を再開するとともに、前記第１所定時間の経過後に、前記第２の通信方式の通信を中断し、前記第２の通信方式の通信が切断されない第２所定時間だけ前記第１の通信方式で通信を行い、その後、前記第１の通信方式から前記第２の通信方式に切り替えて、前記第２の通信方式の通信を再開するように制御するので、一つのアンテナを備える無線通信端末であっても、同時に二つの通信システムによる通信を維持することができる。
【発明を実施するための最良の形態】
【００１３】
以下、本発明の実施の形態を図面を参照して説明する。
【００１４】
図１は、本発明の第１の実施の形態の無線通信端末１０の構成を示すブロック図である。
【００１５】
本実施の形態の無線通信端末１０は、共通のアンテナ１を用いてＣＤＭＡ２０００  １ｘＥＶ−ＤＯ（1x Evolution Data Only；以下、「ＥＶ−ＤＯ」と呼ぶ）とＣＤＭＡ２０００  １ｘ（以下、「１ｘ」と呼ぶ）とを切り替えて無線通信を行う。ＥＶ−ＤＯは、データ通信専用の通信方式であり、無線通信端末１０は通常ＥＶ−ＤＯ方式でデータ通信を行う。一方、１ｘは、ＥＶ−ＤＯと同様にデータ通信を行うこともできるが、主に音声通話に使用される。なお、以下、便宜的に、ＥＶ−ＤＯと１ｘとをそれぞれ、システムＡとシステムＢと表記して説明する。
【００１６】
アンテナ１は、ＲＦ制御部２に接続されており、無線基地局からの電波を受信し、無線基地局に対し電波を送信する。
【００１７】
ＲＦ制御部２は、各無線規格に従って送受信処理を行なう。すなわち、ＲＦ制御部には、システムＡのＲＦ部と、システムＢのＲＦ部とが含まれる。
【００１８】
システムＡのＲＦ部は、通信システムＡで送信するデータ信号又は音声信号を高周波信号に変換し、アンテナ１に送る。また、アンテナ１からの高周波信号をデータ信号又は音声信号に変換する。システムＢのＲＦ部は、通信システムＢで送信するデータ信号又は音声信号を高周波信号に変換し、アンテナ１に送る。また、アンテナ１からの高周波信号をデータ信号又は音声信号に変換する。
【００１９】
また、ＲＦ制御部２には、ベースバンド処理部が設けられている。ベースバンド処理部は、その内部に設けられたコーデック部にて、ベースバンド信号を音声信号に復調する。また、コーデック部では音声信号を変調し、ベースバンド信号を生成する。
【００２０】
さらに、ＲＦ制御部２は、システムＡ、Ｂの二つの通信システムの通信を制御する。
【００２１】
メイン制御部３は、無線通信端末１０の各部を統括して制御する。例えば、メイン制御部３はシステムプロトコル部４Ａ、４Ｂを切り替えて、システムＡ、Ｂの２つのシステムの切り替えを制御する。すなわち、本発明の実施の形態の無線通信端末１０は、一つのＲＦ制御部２をシステムＡとシステムＢとで共有し、通信を行う側がＲＦ制御部２を独占する。
【００２２】
また、メイン制御部３は、システム毎に設定されたアプリケーションプログラムＡ１〜Ａｎ、Ｂ１を起動、停止を制御する。システムＡで使用するアプリケーションプログラムＡ１〜Ａｎはデータ通信に用いられるものであり、例えば、Ｗｅｂブラウザーやストリーミング映像を視聴するメディアプレイヤー等である。一方、システムＢでは、音声通話用のアプリケーションプログラムＢ１を使用する。
【００２３】
また、これらアプリケーションプログラムＡ１〜Ａｎ、Ｂ１にはそれぞれタイムアウトとなる所定の時間が予め設定されており、通信中に送受信データの処理が行えない状態が所定時間続くと、タイムアウトとなる。
【００２４】
また、アプリケーションプログラムＢ１にも同様にタイムアウトとなる所定の時間が予め設定されており、通話中に音声信号の処理が行えない状態が所定時間続くと、タイムアウトとなる。
【００２５】
なお、本実施の形態で、通信の「切断」とは、アプリケーションプログラムのタイムアウトが生じ、通信を復帰するには再びアプリケーションプログラムを起動しなおさなければならないような状態に陥ることを意味する。
【００２６】
なお、本実施の形態で、通信の「中断」とは、システムＡプロトコル４Ａ又はシステムＢプロトコル４Ｂでデータ又は音声信号の処理が行えないが、アプリケーションプログラムがタイムアウトになっておらずに、すぐにデータ又は音声信号の処理を再開できるような状態に陥ることを意味する。
【００２７】
図２は、第１の実施の形態による通信システムの切替のタイミング図である。
【００２８】
前述したように、ハイブリッド端末では、システムＡでデータ通信中であっても、所定時間間隔でシステムＢにおいて着信を監視している。
【００２９】
この時、システムＢで着信を検出したら、この着信に応答するためメイン制御部３はシステムＡからシステムＢに切り替え、システムＢで通信を開始する。システムＢでの通信開始によって、アンテナ１がシステムＢに占有されるので、システムＡでは通信が中断する。第１の実施の形態では、システムＡの通信中断を長時間継続させないように、システムＢの通信時間が予め定めた時間Ｔとなったときに、システムＢの通信を強制的に切断し、システムＡに復帰する。
【００３０】
この所定時間Ｔは、システムＡの通信のために動作しているアプリケーションプログラムがタイムアウトと判定しない時間に設定する。よって、一時的にシステムＢで通信が行われても、システムＡの通信は切断されない。
【００３１】
図３は、第１の実施の形態の通信システム切替処理のフローチャートであり、メイン制御部３によって実行される。
【００３２】
まず、無線通信端末１０で通信用アプリケーションプログラムＡ１〜Ａｎの少なくとも一つが起動すると、アプリケーションによって定められているタイムアウト値に基づいて、システムＢでの通信が許容される時間Ｔを設定する（Ｓ１０１）。この通信許容時間Ｔは、前述したように、システムＡの通信のために実行されるアプリケーションプログラムが、タイムアウトと判断し、通信が切断しない範囲で定める。
【００３３】
次に、システムＡの通信開始処理を実行し（Ｓ１０２）、起動した通信用アプリケーションプログラムを用いて、システムＡで通信を行う（Ｓ１０３）。すなわち、システムＡは、基地局（図示しない）を介して通信相手とコネクションを確立し、データの送受信を開始する。このとき、システムＡがアンテナ１を占有する。その後、システムＡの通信中でも、システムＢの待ち受けのために、所定時間間隔でシステムＡからシステムＢに切り替えてシステムＢにて着信を監視する。このときシステムＢがアンテナ１を占有する。システムＢの待受中は、タイマが起動しており、該タイマによってシステムＢの待受時間が終了したか否かを判定する（Ｓ１０４）。
【００３４】
システムＢの待受時間が終了していなければ、ステップ１０９に進む。
【００３５】
一方、システムＢの待受時間が終了すれば、当該待受時間内にシステムＢで着信があったかを判定する（Ｓ１０５）。
【００３６】
システムＢで着信が検出されていなければ、ステップ１０９に進む。
【００３７】
一方、システムＢで着信が検出されれば、システムＡからシステムＢに切り替えるとともに、アプリケーションＢを起動してシステムＢの通信開始処理を実行し（Ｓ１０６）、システムＢで通信を行う（Ｓ１０７）。このとき、システムＡは、アンテナ１がシステムＢに占有されているため、基地局から送信されるデータや基地局に送信するデータを処理することはできないが、アプリケーションプログラム上で通信途中のデータや通信履歴情報が保持されている。システムＢの通信中は、タイマが起動しており、該タイマによってシステムＢの許容通信時間Ｔが経過したか否かを判定する（Ｓ１０８）。
【００３８】
その結果、システムＢの許容通信時間Ｔが経過すれば、システムＢの通信を終了し、システムＢからシステムＡに切り替えてステップＳ１０９に進む。ここで、システムＡが再びアンテナ１を占有することで、基地局から送信されるデータや基地局に送信するデータの処理を再開する。一方、システムＢの許容通信時間Ｔ内であれば、システムＡがタイムアウトとなる時間まで余裕があるので、ステップＳ１０７に戻り、システムＢによる通信を継続する。
【００３９】
ステップＳ１０９では、システムＡの通信の終了か否かを判定する。例えば、システムＡの通信のために起動されたアプリケーションプログラムが終了した場合、システムＡの通信の終了と判断され、この通信システム切替処理を終了する。一方、システムＡの通信の継続が必要であれば、ステップＳ１０３に戻り、システムＡの通信を継続する。
【００４０】
以上説明したように、本発明の第１の実施の形態では、システムＡの通信中にシステムＢで着信があり、システムＢで応答した場合でも、システムＡのコネクションが切断されるタイムアウト値の経過前にシステムＢの通信を中断し、元のシステムＡに戻る。よって、一つのＲＦ部を備える無線通信端末であっても、同時に二つの通信システムにより通信をすることができる。
【００４１】
次に本発明の第２の実施の形態について説明する。第２の実施の形態は、システムＢにおける通信時間の管理方法が異なる以外は、無線通信端末１０の構成は前述した第１の実施の形態と同じである。なお、前述した第１の実施の形態と同じ構成には同じ符号を付し、その説明は省略する。
【００４２】
図４は、第２の実施の形態による通信システムの切替のタイミング図である。
【００４３】
前述したように、ハイブリッド端末では、システムＡでデータ通信中であっても、所定時間間隔でシステムＢにおいて着信を監視している。
【００４４】
この時、システムＢで着信を検出したら、この着信に応答するためメイン制御部３は、システムＡからシステムＢに切り替え、システムＢで通信を開始する。システムＢでの通信開始によって、アンテナ１がシステムＢに占有されるので、システムＡでは通信が中断する。第２の実施の形態では、システムＡの通信中断を長時間継続させないように、システムＢの通信時間が予め定めた時間Ｔａとなったときに、システムＢの通信を中断し、システムＡに一時的に復帰する。
【００４５】
この所定時間Ｔａは、システムＡの通信のために動作しているアプリケーションプログラムがタイムアウトと判定しない時間に設定する。よって、一時的にシステムＢで通信が行われても、システムＡの通信は切断されない。
【００４６】
システムＢの通信を中断してシステムＡに一時的に復帰すると、システムＡでは、システムＡの通信を中断させないための処理が行われる。例えば、システムＡのデータ送受信を一旦再開するか、又はｐｉｎｇを発信することによって、システムＡの通信を行う。そして、予め定めた時間Ｔｂになると、メイン制御部３はシステムＡからシステムＢに切り替えて、再びシステムＢで通信を開始する。
【００４７】
この所定時間Ｔｂは、システムＢの音声通信のために動作しているアプリケーションプログラムＢ１がタイムアウトと判定しない時間に設定する。
【００４８】
システムＢは、時間Ｔｃの後、通信を再開する。このＴｃは、システムＡの通信を中断させないための処理に必要な時間Ｔｂより長い時間であり、システムＢの通信のために動作しているアプリケーションプログラムがタイムアウトを検出しない時間に設定する。
【００４９】
そして、システムＢの通信が終了するまでの間、上記のシステムＡとシステムＢとの切り替え動作を繰り返すことによって、両方のシステムでの通信を維持することができる。すなわち、第２の実施の形態では、システムＢの通信中は、システムＡでは実質的に通信が中断しているが、連続する通信中断時間を短くして、システムＡ及びシステムＢのアプリケーションのタイムアウトを防止する。よって、システムＡの通信が切断することなく、システムＢでも通信をすることができる。
【００５０】
図５は、第２の実施の形態の通信システム切替処理のフローチャートであり、メイン制御部３によって実行される。
【００５１】
まず、無線通信端末１０で通信用アプリケーションプログラムＡ１〜Ａｎの少なくとも一つが起動すると、アプリケーションによって定められているシステム切替時間Ｔａ、Ｔｂ、Ｔｃを設定する（Ｓ１２１）。この通信許容時間Ｔａは、前述したように、システムＡの通信のために実行されるアプリケーションプログラムが、タイムアウトと判断し、通信を切断しない範囲で定める。また、通信許容時間Ｔｂは、前述したように、システムＢの通信のために実行されるアプリケーションプログラムが、タイムアウトと判断し、通信を切断しない範囲で定める。
【００５２】
次に、起動した通信用アプリケーションプログラムを用いて、システムＡの通信開始処理を実行し（Ｓ１２２）、システムＡで通信を行う（Ｓ１２３）。すなわち、システムＡは、基地局（図示しない）を介して通信相手とコネクションを確立し、データの送受信を開始する。このとき、システムＡがアンテナ１を占有する。なお、ステップＳ１２３〜Ｓ１２７の処理は、前述した第１の実施の形態のＳ１０３〜Ｓ１０７の処理と同じであるため、その説明は省略する。
【００５３】
システムＢでの通信中（Ｓ１２７）は、タイマが起動しており、該タイマによってシステムＢの許容通信時間Ｔａが経過したか否かを判定する（Ｓ１２８）。
【００５４】
その結果、システムＢの許容通信時間Ｔａが経過すれば、システムＢからシステムＡに切り替えてシステムＡの通信許容時間Ｔｂの間だけシステムＡで通信する（Ｓ１２９）。システムＢは、時間Ｔｂが経過したかを計時しており、時間Ｔｂが経過したら、システムＡからシステムＢに切り替えてシステムＢの通信を再開する。
【００５５】
そして、システムＢの通信の終了か否かを判定する（Ｓ１３０）。例えば、システムＢの通信のために起動されたアプリケーションプログラムＢ１が終了した場合、システムＢの通信の終了と判断され、ステップＳ１３１に進む。一方、システムＢの通信の継続が必要であれば、ステップＳ１２７に戻り、システムＢの通信を継続する。
【００５６】
ステップＳ１３１では、システムＡの通信の終了か否かを判定する。例えば、システムＡの通信のために起動されたアプリケーションプログラムが終了した場合、システムＡの通信の終了と判断され、この通信システム切替処理を終了する。一方、システムＡの通信の継続が必要であれば、ステップＳ１２３に戻り、システムＡの通信を継続する。
【００５７】
以上説明したように、本発明の第２の実施の形態では、システムＡの通信中にシステムＢで着信があり、システムＢで応答した場合でも、周期的に元のシステムＡに戻り、システムＡで短時間の通信を行う。その後、再びシステムＢに切り替え、システムＢで通信を行う。よって、一つのアンテナを備える無線通信端末であっても、同時に二つの通信システムによる通信を維持することができる。
【００５８】
なお、第２の実施の形態では、システムＡ用のアプリケーションＡ１〜Ａｎの少なくとも一つを起動したときに、システムＢ用のアプリケーションＢ１がタイムアウトと判断して通信を途絶しない通信許容時間Ｔｂを設定するようにした（Ｓ１２１）が、これに限定されるものではない。例えば、Ｓ１２５でシステムＢへの着信が検出され、システムＡからシステムＢに切り替えるとともにアプリケーションＢ１を起動したときに通信許容時間Ｔｂを設定するようにしてもよく、その他、Ｓ１２８で許容通信時間Ｔａが経過し、Ｓ１２９でシステムＢからシステムＡに切り替えときに通信許容時間Ｔｂを設定するようにしてもよい。
【００５９】
また、第１の実施の形態及び第２の実施の形態では、アプリケーションプログラムＡ１〜Ａｎ、Ｂ１がタイムアウトとなった状態を「切断」したが、これはアプリケーション層で判断した場合であり、これに限定されるものではない。この他に例えば、基地局側では無線通信網のトラフィックの適正化のために予め所定時間が設定してあり、データ送受信の行われない状態が所定時間続くとタイムアウトとなるようになっている。このタイムアウトに陥った状態を「切断」とすることで、物理層で判断するようにしてもよい。
【００６０】
また、本実施の形態ではＣＤＭＡ２０００  １ｘＥＶ−ＤＯとＣＤＭＡ２０００  １ｘとをそれぞれ、システムＡとシステムＢとして説明したが、これに限定されるものではなく、システムＡはデータ通信が行える通信方式であればよく、システムＢは音声通信が行え、システムＡが通信中に間欠的に着信監視を行える通信方式であればよい。
【図面の簡単な説明】
【００６１】
【図１】本発明の第１の実施の形態の無線通信端末の構成を示すブロック図である。
【図２】本発明の第１の実施の形態の通信システムの切替のタイミング図である。
【図３】本発明の第１の実施の形態の通信システム切替処理のフローチャートである。
【図４】本発明の第２の実施の形態の通信システムの切替のタイミング図である。
【図５】本発明の第２の実施の形態の通信システム切替処理のフローチャートである。
【図６】従来の通信システムの切替のタイミング図である。
【図７】従来の通信システムの切替のタイミング図である。
【符号の説明】
【００６２】
１    アンテナ
２    ＲＦ制御部
３    メイン制御部
４Ａ  システムＡプロトコル制御部
４Ｂ  システムＢプロトコル制御部
【図１】
2006080839.tif 000003
【図２】
2006080839.tif 000004
【図３】
2006080839.tif 000005
【図４】
2006080839.tif 000006
【図５】
2006080839.tif 000007
【図６】
2006080839.tif 000008
【図７】
2006080839.tif 000009